(57)【要約】【課題】明瞭に形成された色間接触面を有する軽量かつ多色の圧縮成形体のグリップを提供する。【解決手段】軽量かつ多色の圧縮成形体のゴルフグリップ１０は、異なる色の第１の部分３００及び第２の部分４００を有する。第１の部分３００及び第２の部分４００は、０．９０ｇ／ｃｍ3よいも小さい密度を有するエラストマー化合物からなり、明瞭に形成された色間接触面にわたる架橋部によって連結される。明瞭に形成された色間接触面は、接触面遷移領域を有し、接触面遷移領域を越える異なる色の混合はない。このグリップは、柔軟な感触と固有の圧縮特性を有する。これは、ＥＰＤＭ混合物を含むゴム化合物中への膨張性発泡剤の制御された使用によって、幾つかの実施形態において達成される。【選択図】図１
2017104555.tif 000002
【特許請求の範囲】
【請求項１】
軽量かつ多色の圧縮成形体のゴルフグリップであって、
外面、内面、末端部、先端部、及び末端部から先端部までの長さを有する縦長管状の本体部を含み、該長さに沿った各点が、断面積、断面外径、及び断面内径を有する断面を有しており、
縦長管状の本体部は、第１の色を有する第１の部分と、第１の色とは異なる第２の色を有する第２の部分とを含み、
第１の部分及び第２の部分は、０．９０ｇ／ｃｍ3よりも小さい密度を有するエラストマー化合物からなり、第１の部分と第２の部分は、明瞭に形成された色間接触面にわたる架橋部によって連結され、色間接触面は接触面遷移領域を有し、第１の色と第２の色の接触面遷移領域を越える混合はなく、
少なくとも１つの断面は非対称的であり、
圧縮試験において、１０Ｎの圧縮力をかけたとき、少なくとも１．０１６ｍｍ（０．０４インチ）の圧縮深さを有する、ことを特徴とするゴルフグリップ。
【請求項２】
０．２５４ｍｍ（０．０１インチ）から１．２７ｍｍ（０．０５インチ）の圧縮深さの範囲にわたって、圧縮深さに対する圧縮力である圧縮比が、１１８．１１Ｎ／ｃｍ（３００Ｎ／インチ）を超えないことを特徴とする請求項１に記載のゴルフグリップ。
【請求項３】
圧縮力−圧縮深さのグラフにおける線の勾配が、０．２５４ｍｍ（０．０１インチ）から１．２７ｍｍ（０．０５インチ）の圧縮深さの範囲にわたって、１５７．４８（４００）を超えないことを特徴とする請求項２に記載のゴルフグリップ
【請求項４】
第１の部分は、少なくとも１つの第１の部分のプリフォームから構成され、第２の部分は、少なくとも１つの第２の部分のプリフォームから構成され、第１の部分のプリフォームは、第１の量の第１の発泡剤を含有する第１のゴム化合物から構成され、第２の部分のプリフォームは、第２のゴム化合物から構成されることを特徴とする請求項３に記載のゴルフグリップ。
【請求項５】
第１の部分のプリフォームは、０．９０ｇ／ｃｍ3よりも小さく、第１の発泡剤の第１の量は、少なくとも１ｐｈｒであることを特徴とする請求項４に記載のゴルフグリップ。
【請求項６】
第２のゴム化合物は、少なくとも１ｐｈｒである第２の量の第２の発泡剤を含有し、第２の部分のプリフォームは、０．９０ｇ／ｃｍ3よりも小さい密度を有することを特徴とする請求項５に記載のゴルフグリップ。
【請求項７】
第１の発泡剤の第１の量は、５ｐｈｒよりも大きくなく、第２の発泡剤の第２の量は、５ｐｈｒよりも大きくないことを特徴とする請求項６に記載のゴルフグリップ。
【請求項８】
第１の部分のプリフォームは、第１のプリフォームの接触面縁部を有志、第２の部分のプリフォームは、第２のプリフォームの接触面縁部を有しており、接触面縁部同士にわたる架橋を生成し、かつ明瞭に形成された色間接触面を形成するために、第１のプリフォームの接触面縁部は、圧縮成形型内で第２のプリフォームの接触面縁部に当接することを特徴とする請求項６に記載のゴルフグリップ。
【請求項９】
第１の部分のプリフォームは、第１のプリフォームの厚さを有し、第２の部分のプリフォームは、第２のプリフォームの厚さを有しており、第１のプリフォームの接触面縁部における第１のプリフォームの厚さは、少なくとも３．１７５ｍｍ（０．１２５インチ）であり、第２のプリフォームの接触面縁部における第２のプリフォームの厚さは、少なくとも３．１７５ｍｍ（０．１２５インチ）であることを特徴とする請求項８に記載のゴルフグリップ。
【請求項１０】
第１のプリフォームの厚さは、第１のプリフォームの接触面縁部において変化し、第２のプリフォームの厚さは、第２のプリフォームの接触面縁部において変化することを特徴とする請求項９に記載のゴルフグリップ。
【請求項１１】
第１のプリフォームの接触面縁部は、第１部分の縁部形状を有し、第２のプリフォームの接触面縁部は、第２部分の縁部形状を有し、第１の縁部形状は、第２の縁部形状と協働することを特徴とする請求項８に記載のゴルフグリップ。
【請求項１２】
第１の部分の縁部形状の一部は、頂点形状であり、第２の部分の縁部形状の一部は、協働する受け入れ形状であることを特徴とする請求項１１に記載のゴルフグリップ。
【請求項１３】
頂点形状は、１２０度以下の角度で近づく２つの集束側面を含むことを特徴とする請求項１２に記載のゴルフグリップ。
【請求項１４】
頂点形状は、ゴルフグリップの長手軸に平行に測定される頂点形状の長さ、及び、ゴルフグリップの長手軸に直交して外面に沿って測定される頂点形状の幅を有しており、頂点形状の長さは、頂点形状の最大の幅の少なくとも７０％であることを特徴とする請求項１２に記載のゴルフグリップ。
【請求項１５】
第１の部分の縁部形状は、少なくとも１つの凹部を含み、第２の部分の縁部形状は、少なくとも１つの協働する凸部を含むことを特徴とする請求項１２に記載のゴルフグリップ。
【請求項１６】
第１のゴム化合物は、エチレンプロピレンジエンモノマー（ＥＰＤＭ）混合物を含み、第１の発泡剤は、第１の膨張性発泡剤であり、第２のゴム化合物は、エチレンプロピレンジエンモノマー（ＥＰＤＭ）混合物を含み、第２の発泡剤は、第２の膨張性発泡剤であり、ゴルフグリップは、少なくとも１００ｃｍ3の体積、及び、０．４５ｇ／ｃｍ3から０．８９ｇ／ｃｍ3のゴルフグリップの全体的な密度を有し、少なくもと１つの断面は、３．７５ｃｍ2よりも大きい断面積を有し、外面上の少なくとも１つの点は、１．１６８４ｍｍ（０．４６インチ）よりも大きい断面外径を有する、ことを特徴とする請求項６に記載のゴルフグリップ。
【請求項１７】
第１の膨張性発泡剤は、可膨張微小球を含み、第２の膨張性発泡剤は、可膨張微小球を含むことを特徴とする請求項１６に記載のゴルフグリップ。
【請求項１８】
完成品のゴルフグリップの密度は、遷移領域内で、ゴルフグリップの全体的な密度よりも少なくとも２．５％大きいことを特徴とする請求項１７に記載のゴルフグリップ。
【請求項１９】
第２のプリフォームの接触面に接触する第１のプリフォームの接触面縁部の一部は、基準の接触面積よりも少なくとも１５％大きい接触面積を構成することを特徴とする請求項１２に記載のゴルフグリップ。
【請求項２０】
第１のプリフォームの接触面縁部と第２のプリフォームの接触面縁部は、互いに重なり合わないことを特徴とする請求項１９に記載のゴルフグリップ。
【請求項２１】
第１のプリフォームの接触面縁部の少なくとも一部、及び、第２のプリフォームの接触面縁部の少なくとも一部は、８０度から８９度の角度で切断され、当接する接触縁部同士の一部は、最初から圧縮成形型内で接触し、当接する接触面縁部同士の一部は、最初は圧縮成形型内で接触しない、ことを特徴とする請求項２０に記載のゴルフグリップ。
【請求項２２】
頂点形状の先端部は、３０度以下の頂点位置範囲内に配置され、頂点位置範囲は、断面のｘ軸から少なくとも７５度の角度から開始することを特徴とする請求項１２に記載のゴルフグリップ。
【発明の詳細な説明】
【技術分野】
【０００１】
グリップに関する関連出願は、米国特許出願第１４／８８２７９７号であり、この出願の全体は、参照により本明細書に援用される。本発明は、連邦政府資金による研究開発計画の一部としてなされたものではない。
本開示は、一般には、グリップに関し、より詳細には、スポーツ用具のハンドグリップに関する。
【背景技術】
【０００２】
今日、様々な物品に多くの種類のグリップが使用されている。これらの物品には、ゴルフクラブ、工具（ハンマーの取っ手、ネジ回し、等々）、ラケット（ラケットボール、スカッシュ、バドミントン、またはテニスのラケット）、バット（野球またはソフトボール）、ビリヤードのキュー、傘、釣り竿、等々が含まれるが、これらに限定されるものではない。本開示は、ゴルフクラブのグリップへの適用に特に言及するものであるが、本開示が他のグリップにも同様に適用可能であることは明らかである。
【０００３】
ゴルフ産業において、成形されたゴム材料または合成樹脂材料からなるスリップオン式のゴルフクラブグリップは周知であり、広く使用されている。本明細書において、「スリップオン式」という用語は、シャフトまたはハンドル上を摺動させて、接着剤、テープ、またはその他によって固定されるグリップを指すものである。多様な意匠及び形状のスリップオン式のグリップが市販されている。
【０００４】
ゴルフクラブのグリップは、歴史的に、ハンドル上に直接巻き付けられた革、ハンドル上を摺動させて取り付けられたスリーブまたはアンダーリスティング上に巻き付けられた革のような、様々な材料から形成されてきた。最近では、ゴム、ポリウレタン、または他の合成材料が使用されている。現在までに、全体的な材料密度を低くするために様々な構成方法が使用されてきた。最も一般的には、軽量の発泡材料（多くの場合、ＥＶＡフォーム）を使用して内部構造が形成される。この構造にかぶせてグリップ層が配置され、接着剤または何らかの他の結合方法によって定位置に保持される。最も一般的には、このグリップ層はフェルト材料から形成され、より滑らかでより耐久性の高い外部層を提供するために、外部がポリウレタンで被覆される。グリップを形成する軽量の構造を製造するための別の既存の方法は、成形または研磨された発泡／スポンジ材料のチューブ（ＥＶＡ、ニトリルゴム等）を使用することである。これらの発泡／スポンジ材料は、耐摩耗性及び耐ＵＶ性が比較的低く、従来のゴム製のグリップよりも損耗が速い傾向がある。また、時間の経過とともに圧縮永久歪みを帯びて、ゴルフグリップに恒久的な窪みを残す可能性があり、それによって、ゴルフの規則に違反するおそれがある。
【０００５】
ゴルフにおいて、軽量化の傾向がある。ウッドやアイアンといったクラブで使用される軽量のスインググリップは、通常はクラブヘッドのスピードの高速化を促進することによって、ゴルファーのパフォーマンスを向上させる。さらに、非スインググリップまたはパターグリップにおいては、握りの安定性を向上させ、パッティングのストロークの間に手首が動き過ぎることを防止するために、オーバーサイズグリップに向かう傾向がある。このようなグリップのサイズが増大する一方、グリップの重量は、パターのバランスやスイング重量を維持するために、非オーバーサイズグリップと同程度に維持されることが望ましい。
【０００６】
また、ゴルフグリップを多色化することが望ましい。多色のゴルフグリップは、より魅力的であり、瞬時のブランド認知のための識別性がブランドに付与される。ゴルフグリップを多色で成形する場合、色間に、位置と形状において一貫した明瞭な境界を形成することが望ましい。明瞭な境界は、直線、角度付き線、曲線、または任意の望ましい形状であってもよい。色間の明瞭な境界によって、知覚される製品品質及びブランド識別性が向上する。しかしながら、所望のグリップ重量を達成するために必要な低密度において材料が安定していないため、軽量のゴム成形を使用してこのような明瞭な境界を達成することは困難である。
【発明の概要】
【発明が解決しようとする課題】
【０００７】
ゴム化合物を使用した軽量かつ多色の圧縮成形体のグリップを製造することが望ましい。ゴムは、良好な感触を有しており、ゴルファーに好まれている。しかしながら、ゴムは、約１．２ｇ／ｃｍ3の密度を有する重い材料である。密度を低減するために、ゴム材料に軽量材料を添加する必要があり、これによって、明瞭な境界を達成することが一層困難になる。したがって、色間に明瞭に形成された接触面を有する軽量かつ多色の圧縮成形体のグリップ、特に、柔軟で、弾性を有し、永久変形及びそれに関連する危険性に対して耐性を有する軽量かつ多色の圧縮成形体のグリップに対する要望は、依然として存在する。
【課題を解決するための手段】
【０００８】
軽量かつ多色の圧縮成形体のゴルフグリップは、異なる色の第１の部分及び第２の部分を有する。第１の部分及び第２の部分は、０．９０ｇ／ｃｍ3よいも小さい密度を有するエラストマー化合物からなり、明瞭に形成された色間接触面にわたる架橋部によって連結される。明瞭に形成された色間接触面は、接触面遷移領域を有し、接触面遷移領域を越える異なる色の混合はない。
【０００９】
このグリップは、柔軟な感触と固有の圧縮特性を有する。これは、ＥＰＤＭ混合物を含むゴム化合物中への膨張性発泡剤の制御された使用によって、幾つかの実施形態において達成される。
【００１０】
明瞭に形成された色間接触面の達成は、部分的には、対向する接触縁部における相補的な形状の使用によるものである。これによって、接触面の安定性が増大し、低密度のゴム化合物の増大した粘度に関連する成形の間の流れが低減し、部分同士の架橋が促進され、圧密圧力の分布及び制御が改善される。
【００１１】
従来、圧縮成形されたエラストマー化合物のグリップの感触は、硬いまたはしっかりしたものであった。これは、例えばパターグリップのような幾つかのグリップでは望ましくない。グリップ圧力に関して、ゴルファーにとって最良のフィードバックは、比較的一貫しかつ比較的平坦な圧縮力−圧縮深さのグラフ線を備える握りを提供することである。これによって、ゴルファーの握りが、追加の撓みを感知することなくグリップを強く押圧する点に達することがなくなる。同様に、必要な弾性を依然として備えつつ、圧縮深さに対する圧縮力の比の圧縮深さの範囲にわたる一貫性により、フィードバックが改善される。
【００１２】
添付請求項に記載された本発明の範囲を限定することなく、添付図面を説明すれば、次の通りである。
【図面の簡単な説明】
【００１３】
【図１】ゴルフグリップの一実施形態の、縮尺通りではない平面図である。
【図２】ゴルフグリップの一実施形態の縮尺通りではない正面図である。
【図３】ゴルフグリップの一実施形態の縮尺通りではない側面図である。
【図４】ゴルフグリップの一実施形態の縮尺通りではない上面図である。
【図５】ゴルフグリップの一実施形態を図２の切断線５−５に沿って示す、縮尺通りではない横断面図である。
【図６】ゴルフグリップの一実施形態の縮尺通りではない正面図である。
【図７】ゴルフグリップの一実施形態の縮尺通りではない側面図である。
【図８】ゴルフグリップの一実施形態の縮尺通りではない正面図である。
【図９】ゴルフグリップの一実施形態の縮尺通りではない側面図である。
【図１０】ゴルフグリップの一実施形態を図２の切断線１０−１０に沿って示す、縮尺通りではない縦断面図である。
【図１１】ゴルフグリップの一実施形態を図６の切断線１１−１１に沿って示す、縮尺通りではない縦断面図である。
【図１２】ゴルフグリップの一実施形態を図８の切断線１２−１２に沿って示す、縮尺通りではない縦断面図である。
【図１３】ゴルフグリップの一実施形態の製造工程の一実施形態の、縮尺通りではない部分模式図である。
【図１４】ゴルフグリップの一実施形態の製造工程の一実施形態の、縮尺通りではない部分模式図である。
【図１５】型内のゴルフグリップの幾つかの部品の一実施形態を図１４の切断線１５−１５に沿って示す、縮尺通りではない部分縦断面図である。
【図１６】ゴルフグリップの一実施形態の縮尺通りではない正面図である。
【図１７】ゴルフグリップの一実施形態の縮尺通りではない側面図である。
【図１８】ゴルフグリップの一実施形態を図１６の切断線１８−１８に沿って示す、縮尺通りではない横断面図である。
【図１９】ゴルフグリップの一実施形態の縮尺通りではない正面図である。
【図２０】ゴルフグリップの一実施形態の縮尺通りではない側面図である。
【図２１】試験サンプルの縮尺通りではない正面図である。
【図２２】試験サンプルの縮尺通りではない正面図である。
【図２３】試験サンプルの縮尺通りではない正面図である。
【図２４】試験サンプルの縮尺通りではない正面図である。
【図２５】ゴルフグリップの一実施形態の縮尺通りではない正面図である。
【図２６】ゴルフグリップの一実施形態の縮尺通りではない正面図である。
【図２７】試験装置の縮尺通りではない図である。
【図２８】３つの部分に均等に分割されたゴルフグリップを示す縮尺通りではない図である。
【図２９】図２７のゴルフグリップの中間部分を、圧縮空気を使用してマンドレルに設置した状態で示す、縮尺通りではない図である。
【図３０】マンドレルの中間部に設置された図２７のゴルフグリップの中間部分を示す、縮尺通りではない図である。
【図３１】試験装置のＶ字ブロックに設置されたマンドレルの拡大図である。
【図３２】ゴルフグリップの中間部分に接触する試験装置の力ゲージ及びプローブを示す、縮尺通りではない図である。
【図３３】プローブがゴルフグリップの中間部分に最初に接触したときにゼロに設定される試験装置の深さゲージを示す、縮尺通りではない図である。
【図３４】プローブがゴルフグリップの中間部分に対して押圧されて、ゴルフグリップの中間部分を深さゲージの測定値で０．２５４ｍｍ（０．０１インチ）圧縮するときの力ゲージの測定値を示す、縮尺通りではない図である。
【図３５】プローブをゴルフグリップの中間部分に０．２５４ｍｍ（０．０１インチ）、０．５０８ｍｍ（０．０２インチ）、０．７６２ｍｍ（０．０３インチ）、１．０１６ｍｍ（０．０４インチ）、１．２７ｍｍ（０．０５インチ）、及び１．５２４ｍｍ（０．０６インチ）の圧縮深さに押し込むために必要な圧縮力を示す表及びグラフである。
【図３６】丸い点付きの線によって表される、ポリウレタン外部層で覆われた発泡体からなる、競合他社の軽量オーバーサイズパターグリップについて収集されたデータと、四角い点付きの線によって表される、本発明の実施形態について収集されたデータとを示すグラフである。
【発明を実施するための形態】
【００１４】
添付図面は、以下に詳細の説明される本発明の例示的な実施形態の理解を助けるために添付されたものであり、本発明を不当に限定するものとして見なされるべきではない。特に、図示された様々な要素の相対的な間隔、位置、サイズ、及び寸法は、縮尺通りに描かれたものではなく、明確性の向上を目的として、過大に、過小に、または修正されて描かれている場合がある。単に明確性を向上させ、かつ図面の数を減らすために、様々な別の構成が省略されていることは、当業者には明らかである。
【００１５】
本発明は、当該技術分野に大きな進歩をもたらすことが可能なものである。本発明の好適な実施形態は、固有の新規な方法で構成された新規な要素、材料、及び方法によって、これを達成する。これらの要素、材料、及び方法は、以前は利用不能であった、好ましくかつ望ましい機能を示すものである。図面と関連させた以下の説明は、単に、本発明の現時点で好適な実施形態の説明であることが意図されており、本発明が構築または使用され得る唯一の形態を示すことが意図されたものではない。以下の説明は、例示された実施形態によって本発明を実施する形状、材料、機能、手段、及び方法を明らかにするものである。但し、同一のまたは均等な機能、特徴、及び材料特性は、異なる実施形態によっても達成可能であり、このような実施形態は、本発明の思想及び範囲に含まれる。本開示は、添付図面に図示されかつ以下に説明される好適な実施形態とともに添付図面を参照して説明される。しかし、本開示は、多くの異なる形で実施可能なものであり、本明細書で説明される実施形態に限定されるものと見なされるべきではない。むしろ、これらの実施形態は、この開示が完全であり、かつ本開示の範囲を当業者に対して十分に伝達することを目的として用意されたものである。
【００１６】
以下の説明及び図面を通じて、同様の数字は、同様の要素を示す。各図面において、特定の線、層、部品、要素、または特徴の太さは、明確性のため誇張されている場合がある。破線は、そうでないことが明記されていない限り、任意選択で付加される特徴または動作を示す。本明細書で言及される全ての出版物、特許出願、特許、及び他の参照文献は、参照によりそれらの全体が本明細書に援用される。本開示の実施形態が特にゴルフクラブのグリップに適しており、それに対して特に言及されていたとしても、本開示の実施形態がゴルフクラブ以外を実施するための他のグリップに適用可能であることは明らかである。
【００１７】
図１を参照すると、ゴルフグリップ１０が、右利きのゴルファーの開いた手の上に通常の握り方で配置されている。本明細書において「右利き」という用語は、様々な活動における主要なまたは優位な手の最適な選択として右手を使用する人を意味する。様々な活動における主要なまたは優位な手には、ボールを投げる、書く、並びに、ラケット、バット、もしくはゴルフクラブをスイングするために使用される手が含まれるが、これらに限定されるものではない。本明細書で使用される「左利き」という用語は、この種の活動において、反対の手を使用する人を意味する。図２に示すように、ゴルフグリップ１０は、外面１１０、内面１２０、末端部１３０、及び先端部１４０を備えた中空管状の本体部１００を含む構造を有する。
【００１８】
図１に示す通常の握り方では、ゴルファーの開いた左手がグリップ１０の末端部１３０側に位置し、開いた右手はグリップ１０の先端部１４０（または、開放端部）側に位置する。この握り方では、ゴルフグリップ１０に対して閉じた握りを形成するとき、数本の指が組み合う場合もある。但し、当業者であれば、他の非標準的な握り方（ほんの数例を挙げれば、クロスハンドグリップ、クローグリップ、ソーグリップ、ペンシルグリップ等）も使用できることは理解されるであろう。勿論、それぞれの個人的な最良の手の位置は、これらの握り方、及び、天候やゴルフコースのようなゴルフをする際の様々な条件に応じて、ゴルファーによって変化する。他の要因には、グリップの感触、ゴルフクラブ、シャフトの組成、クラブヘッドの重量、及びゴルファーの手の大きさが含まれるが、これらによって限定されるものではない。当然のことながら、左利きの人の場合、手の位置は一般的には右利きの人の反対である。ゴルフグリップに対する手の置き方は、フルスイングであるかパッティングのストロークであるかにかかわらず、ゴルフスイングにおける重要な因子である。手の置き方は、ゴルフボールの飛距離及び方向に影響を及ぼす可能性がある。
【００１９】
ゴルフグリップ１０は、色が異なる少なくとも２つの圧縮成形された部分からなる。これらの部分は、第１の部分３００及び第２の部分４００であり、色間接触面５００に沿って連結されている。ゴルフグリップ１０の全体の密度は、０．９０ｇ／ｃｍ3よりも小さい。第１の部分３００及び第２の部分４００は、任意の態様で互いに隣接するように構成されるものであってもよい。これらの態様には、図２に示すような、ゴルフグリップ１０を横方向に分割する態様、図２５及び図２６に示すような、ゴルフグリップ１０を縦方向に分割する態様、図１９及び図２０に示すような、１つの部分が挿入されて他の部分によって少なくとも部分的に囲まれる態様、またはこれらの組み合わせが含まれるが、これらによって限定されるものではない。
【００２０】
第１の部分３００及び第２の部分４００は、圧縮成形の間に色間接触面５００にわたって架橋（加硫とも呼ばれる）可能なエラストマー化合物、または長鎖ポリマーからなる。加硫工程は、ポリマー鎖を化学結合により架橋し、弾性特性を生じさせるものである。エラストマー化合物は、典型的には、形成に使用される基本高分子に基づく種類または族によって記述される。第１及び第２の部分３００、４００は、アクリロニトリルブタジエンゴム、水素化アクリロニトリルブタジエンゴム、エチレンプロピレンジエンゴム、フッ素ゴム、クロロプレンゴム、シリコーンゴム、フッ素化シリコーンゴム、ポリアクリルゴム、エチレンアクリルゴム、スチレンブタジエンゴム、ポリエステルウレタン／ポリエーテルウレタン、及び／または、天然ゴム、及びこれらの組み合わせ、から形成されるものであってもよい。第１及び第２の部分３００、４００の一実施形態は、エチレンプロピレンジエンモノマー（ＥＰＤＭ）、または天然ゴムとＥＰＤＭの混合物のいずれかからなるゴム化合物である。第１及び第２の部分３００、４００の一実施形態は、高いエチレン含有量、高い分子量、及び、架橋のための非常に高いジエン含有率のＥＰＤＭを有する。
【００２１】
ゴルフグリップ１０の全体的な密度を０．９０ｇ／ｃｍ3よりも小さくするために、圧縮成形工程の一実施形態が使用される。ゴムベースの化合物の射出成形では、一般に、０．９６ｇ／ｃｍ3よりも小さい密度を達成できないことがその理由の一部である。圧縮成形では、エラストマー化合物に発泡剤が混合され、所望の厚さのシートにカレンダー加工される。例えば、図１３及び図１４に模式的に示す工程は、第１の部分の貯蔵品３２０及び第２の部分の貯蔵品４２０を使用して開始される。これらの貯蔵品は、幾らかの発泡剤を含み、カレンダー加工されたシート状のエラストマー化合物である。この実施形態において、第１の部分の貯蔵品３２０及び第２の部分の貯蔵品４２０は、次いで、第１の部分の上部プリフォーム３３０、第２の部分の下部プリフォーム３４０、第２の部分の上部プリフォーム４３０、及び第２の部分の下部プリフォーム４４０を形成するように切断される。但し、４つのプリフォームは必須ではない。カレンダー加工されたシートのうちの少なくとも１つは、シート同士が同じ色とはならないように、顔料または染料を含有している。これによって、第１の部分と第２の部分のプリフォームは同じ色ではなくなり、したがって、第１の部分と第２の部分３００、４００は同じ色ではない。
【００２２】
図１３に示すように、この実施形態において、第１の部分の上部プリフォーム３３０は、第１の部分の上部プリフォームの左縁部３３２、第１の部分の上部プリフォームの右縁部３３４、及び第１の部分の上部プリフォームの接触面縁部３３６を有する。同様に、第１の部分の下部プリフォーム３４０は、第１の部分の下部プリフォームの左縁部３４２、第１の部分の下部プリフォームの右縁部３４４、及び第１の部分の下部プリフォームの接触面縁部３４６を有する。さらに、この実施形態において、第２の部分の上部プリフォーム４３０は、第２の部分の上部プリフォームの左縁部４３２、第２の部分の上部プリフォームの右縁部４３４、及び第２の部分の上部プリフォームの接触面縁部４３６を有する。同様に、第２の部分の下部プリフォーム４４０は、第２の部分の下部プリフォームの左縁部４４２、第２の部分の下部プリフォームの右縁部４４４、及び第２の部分の下部プリフォームの接触面縁部４４６を有する。
【００２３】
次いで、第１の部分の下部プリフォーム３４０及び第２の部分の下部プリフォーム４４０が、接触面縁部３４６、４４６同士を隣接または当接させて、下部型ＢＭ内に配置される。次いで、コアロッドＣＲが配置され、第１の部分の上部プリフォーム３３０及び第２の部分の上部プリフォーム４３０は、接触面縁部３３６、４３６同士を隣接または当接させて、図１４に示すように、コアロッドＣＲを覆うように、あるいは、図１３に示すように、上部型ＴＭ内に、配置される。この実施形態では、第１の部分の左縁部３３２、３４２同士も隣接または当接しており、第１の部分の右縁部３３４、３４４同士、第２の部分の左縁部４３２、４４２同士、及び、第２の部分の右縁部４３４、４４４同士も同様である。上部型及び下部型ＴＭ、ＢＭに熱及び圧力が印加され、幾つかの実施形態では、コアロッドＣＲが加熱される。これによって、左縁部３３２、３４２、４３２、４４２及び右縁部３３４、３４４、４３４、４４４にわたる架橋に加えて、接触面縁部３４６、４４７にわたる架橋が生成され、色間接触面５００が形成される。
【００２４】
再度述べれば、図１３及び図１４に示す例は一実施形態に過ぎず、第１の部分３００及び第２の部分４００は、任意の態様で互いに隣接するように構成されるものであってもよい。これらの態様には、図２に示すような、グリップ１０を横方向に分割する態様、図２５及び図２６に示すような、ゴルフグリップ１０を縦方向に分割する態様、図１９及び図２０に示すような、１つの部分が挿入されて他の部分によって少なくとも部分的に囲まれる態様、またはこれらの組み合わせが含まれるが、これらによって限定されるものではない。これは、幾つかの実施形態は、左縁部３３２、３４２、４３２、４４２及び／または右縁部３３４、３４４、４３４、４４４を有しないものであってもよいことを意味する。
【００２５】
第１の部分３００と第２の部分４００の異なる色の交差箇所に沿って明瞭に形成された色間接触面５００を達成することは、特に、ゴルフグリップ１０の全体的な密度を０．９０ｇ／ｃｍ3よりも小さくするために、それぞれのプリフォームの密度を０．９０ｇ／ｃｍ3よりも小さくする場合、難しい。これは、非対称的な断面を有するゴルフグリップ１０（すなわち、円形の断面を有しないゴルフグリップ）のオーバーサイズ形の実施形態では、さらに困難になる。非対称的な断面は、さらなる実施形態において、図１７に示すように、長さに沿って形成されていてもよい。このような困難性の１つの理由は、低密度を達成するためにエラストマー化合物に必要な発泡剤に関連する。
【００２６】
一実施形態には、成分を膨張させるための膨張性発泡剤が組み込まれている。膨張性発泡剤は、ジニトロソペンタジエンテトラミン（ＤＰＴ）、アゾジカーボンアミド（ＡＺＣ）、ｐ−トルエンスルホニルヒドラジド（ＴＳＨ）、４，４’−オキシビスベンゼンスルホニルヒドラジド（ＯＢＳＨ）等、並びに、炭酸水素ナトリウムのような無機発泡剤を含むものであってもよいが、これらによって限定されるものではない。さらに、発泡剤は、高温でＮ2ガスを放出するジアゾ化合物、発泡工程の間に導入されるＮ2ガス、化学発泡剤の分解からのＣＯ2、及び／または、内部に揮散液体を含むコアシェルを有する膨張セルシステム（しばしば可膨張微小球またはマイクロカプセルと呼ばれる）を含むものであってもよい。発泡剤の量は、ゴム重量１００に対する重量部（ｐａｒｔｓ  ｐｅｒ  ｈｕｎｄｅｒｅｄ  ｒｕｂｂｅｒ：ｐｈｒ）で測られる。
【００２７】
圧縮成形を使用すると射出成形よりも軽量化できる主な理由は、圧縮成形工程では、射出成形工程と比較して、プリフォーム内の発泡剤の量を増大させることができることである。これは、射出成形とは異なり、発泡剤が、特に膨張性発泡剤の形の場合、圧縮成形工程の間に損壊を受けないからである。しかし、膨張性発泡剤は、圧縮成形工程に新規の複雑さをもたらす。具体的には、膨張性発泡剤は、エラストマー化合物のせん断を低減させ、粘度を低下させる。これによって、明瞭に形成された色間接触面５００を達成することが難しくなる。これは、膨張性発泡剤が一般に低摩擦面を有するからである。低粘度のエラストマー化合物を圧縮成形することが難しいのは、膨張性発泡剤に起因する粘度の低減及び／または膨張によって、成形工程の間にプリフォームがずれる可能性があり、また、部分３００と部分４００の接触面が、大量の膨張性発泡剤が接触面における不安定性を高めることによって、構造的及び／または審美的に損なわれる可能性があるからである。全てのこのような困難は、柔軟な低密度かつ多色の圧縮成形されたグリップ、特に、非対称的な断面を有するとともに厚さに顕著な変化があり得るオーバーサイズグリップを製造する場合、さらに増大する。
【００２８】
本明細書で使用される、明瞭に形成された色間接触面５００という用語は、ゴルグリップ１０上の、異なる色のプリフォームの対向する接触面縁部（例えば、３３６と４３６、または、３４６と４４６）が元々当接している位置を意味する。接触面遷移領域５１０は、図２及び図３に示すように、これらの接触面縁部の両側の３．８１ｍｍ（０．１５０インチ）内の領域であり、これは、遷移領域の幅５２０は、７．６２ｍｍ（０．３００インチ）であることを意味する。したがって、明瞭に形成された色間接触面５００は、ゴルフグリップ１０の完成された圧縮成形体において、１つのプリフォームからの顔料を、接触面縁部の位置の反対側の接触面遷移領域５１０の外側では、光学的に検出し得ない接触面である。
【００２９】
一実施形態では、この明瞭に形成された色間接触面５００は、プリフォーム中の発泡剤の量を、所望の密度を達成するために十分な量を含みつつ、選択的に限定することによって達成される。例えば、対称的なスインググリップの一実施形態において、プリフォーム中の発泡剤の量は、少なくとも１ｐｈｒであり、かつ１０ｐｈｒよりも少ない。別の実施形態において、プリフォーム中の発泡剤の量は、少なくとも２ｐｈｒであり、かつ８ｐｈｒよりも少ない。さらに別の実施形態において、プリフォーム中の発泡剤の量は、少なくとも３ｐｈｒであり、かつ７ｐｈｒよりも少ない。
【００３０】
柔軟かつ低密度の非対称的なパターグリップを製造する場合、明瞭に形成された色間接触面５００を達成することは、さらに難しい。それは、このような非対称的なパターグリップの厚さが通常の対称的なスインググリップの厚さよりも数倍大きいためであり、また、厚さが変化する場合があり、それによって、型を充填して所望の形状を達成するためのプリフォームまたは部分プリフォームの層を追加する必要が生じることが多いためである。このような層の追加、及び、グリップの長さに沿った厚さの変化は、成形の間の低減された粘度のプリフォームの制御、並びに、非常に大きい対向する色接触面縁部（例えば、３３６と４３６、または、３４６と４４６）の安定性の制御にさらなる複雑性をもたらす。したがって、非対称的なパターグリップの実施形態において、発泡剤の量は、少なくとも１ｐｈｒであり、かつ５ｐｈｒよりも少ない。非対称的なパターグリップの別の実施形態において、発泡剤の量は、少なくとも２ｐｈｒであり、かつ４ｐｈｒよりも少ない。非対称的なパターグリップのさらに別の実施形態において、発泡剤の量は、少なくとも２．５ｐｈｒであり、かつ３．５ｐｈｒよりも少ない。一方、プリフォーム及び完成品のグリップの密度が０．９０ｇ／ｃｍ3よりも小さいことは、確実に維持される。
【００３１】
発泡剤は、成形の間のプリフォームの粘度を低減させるだけでなく、成形の間の接触面縁部における圧密圧力を増大させ、それによって、明瞭に形成された色間接触面５００を得ることの困難性をさらに増大させる。この困難性の増大は、特に、プリフォーム（例えば、第１の部分の上部プリフォーム３３０及び第２の部分の上部プリフォーム４３０）の色間接触面縁部（例えば、第１の部分の上部プリフォームの接触面縁部３３６及び第２の部分の上部プリフォームの接触面縁部４３６）に沿った厚さの少なくとも一部が、３．１７５ｍｍ（０．１２５インチ）よりも大きいときに生じる。
【００３２】
さらなる実施形態において、図８、図９、及び図１２に示すように、接触面遷移領域４１０内に遷移領域の深さ５３０を付与する型を使用することによって、色間接触面５００の完全性が一層向上する。遷移領域の深さ５３０は、０．０７６２ｍｍ（０．００３インチ）から０．３０４８ｍｍ（０．０１２インチ）である。別の実施形態において、遷移領域の深さ５３０は、０．１５２４ｍｍ（０．００６インチ）から０．３０４８ｍｍ（０．０１２インチ）である。さらに別の実施形態において、遷移領域の深さ５３０は、０．２２８６ｍｍ（０．００９インチ）から０．３０４８ｍｍ（０．０１２インチ）である。遷移領域５１０の形成を容易にするための型の突出部は、膨張性発泡剤に起因する膨張及び追加される圧密圧力を制御するとともに、接触面縁部の中間部分の領域を安定化させるために、プリフォーム中の膨張性発泡剤のうちの幾らかを接触面縁部の近傍で損壊させるものであってもよい。図８、図９、及び図１２に示すように、遷移領域の深さ５３０は、外面１１０からグリップ内に延びるものであってもよい。または、図示は省略するが当業者には理解されるように、遷移領域の深さ５３０は、コアロッドＣＲの突出部によって内面１２０からグリップ内に延びるものであってもよい。さらに別の実施形態において、遷移領域の深さ５３０は、外面１１０及び内面１２０の両方からグリップ内に延びるものであってもよい。
【００３３】
一実施形態において、完成されたゴルフグリップ１０の遷移領域５１０内の密度は、ゴルフグリップ１０の全体的な密度よりも、少なくとも２．５％大きい。別の実施形態において、完成されたゴルフグリップ１０の遷移領域５１０内の密度は、ゴルフグリップ１０の全体的な密度よりも、２．５％から１０％大きい。さらに別の実施形態において、完成されたゴルフグリップ１０の遷移領域５１０内の密度は、ゴルフグリップ１０の全体的な密度よりも、２．５％から７．５％大きい。
【００３４】
さらに別の実施形態において、遷移領域５１０は、テクスチャ領域を含み、テクスチャ領域は、複数のテクスチャ領域窪み部を含む。幾つかのまたは全てのテクスチャ領域窪み部は、接触面縁部にわたって連続的に延びる。テクスチャ領域窪み部は、０．３０４８ｍｍ（０．０１２インチ）よりも小さい深さを有する。一実施形態において、遷移領域５１０の四分円のそれぞれは、接触面縁部にわたって連続的に延びる少なくとも２つのテクスチャ領域窪み部を含む。別の実施形態において、四分円のそれぞれにおける少なくとも１つのテクスチャ領域窪み部は、２．５４ｍｍ（０．１００インチ）から７．６２ｍｍ（０．３００インチ）の長さ及び０．０７６２ｍｍ（０．００３インチ）から０．３０４８ｍｍ（０．０１２インチ）の深さを有する。さらに別の実施形態において、遷移領域５１０の四分円のそれぞれは、平行ではない少なくとも２つのテクスチャ領域窪み部を含み、一実施形態において、それらのうちの少なくとも１つは、ゴルフグリップ１０の長手軸と平行ではない。別の実施形態において、四分円のそれぞれの少なくとも２つのテクスチャ領域窪み部は、少なくとも３０度だけ変化している。別の実施形態では、四分円のそれぞれの少なくとも２つのテクスチャ領域窪み部は、少なくとも４５度だけ変化している。さらに別の実施形態では、四分円のそれぞれの少なくとも２つのテクスチャ領域窪み部は、少なくとも６０度だけ変化している。
【００３５】
このようなテクスチャ領域窪み部は、膨張性発泡剤に起因する膨張及び追加の圧密圧力をさらに制御し、接触面の中間部の領域を安定化するために、プリフォーム中の膨張性発泡剤のうちの幾らかを接触面縁部の近傍で損壊するように構成され、また、接触面縁部におけるプリフォームの動きをさらに低減するために、遷移領域５１０における型との接触面積を付加するものである。
【００３６】
別の実施形態において、膨張性発泡剤の実施形態に関連する圧密圧力の分布を改善するとともに、接触面の安定性を増大させ、また、増大した粘度に関連する成形の間の流れを低減させるために、当接するプリフォームの対向する色接触面縁部（例えば、３３６と４３６、または、３４６と４４６）の接触面積を増大させることによって、色間接触面４００の完全性が向上する。この接触面積の増大を定量化するために、まず比較のための基準の接触面積を定める必要がある。基準の接触面積は、まず、２つの態様に従って定義される。すなわち、（ａ）図２に示すように、第１の部分３００と第２の部分４００が、ゴルフグリップ１０を横方向に分割するように互いに隣接して構成される態様、及び、（ｂ）図２６に示すように、第１の部分３００と第２の部分４００が、ゴルフグリップ１０を縦方向に分割するように、互いに隣接して構成される態様である。態様（ａ）の場合、基準の接触面積は、図５に示すように、ゴルフグリップ１０の軸に直交する断面内で取られた平均の断面積１５２として定義される。これは、ゴルフグリップ１０の長さに沿って末端部１３０から先端部１４０まで切断線５−５を移動させながら、その各点で断面積１５２を決定し、そして、これらの断面積の平均値を基準の接触面積として使用することと考えられる。同様に、態様（ｂ）の場合、基準の接触面積は、ゴルフグリップ１０の軸に平行な断面の、ゴルフグリップ１０の全３６０度にわたって１０度の増分毎に取られたときの平均の断面積として定義される。
【００３７】
ここで、図１３に示す実施形態において、当接するプリフォームの接触面積は、第１の部分の上部プリフォームの接触面縁部３３６の長さに、第１の部分の上部プリフォーム３３０の縁部に沿った厚さ（変化する場合もある）を乗算したものに、第１の部分の下部プリフォームの接触面縁部３４６の長さに、第１の部分の下部プリフォーム３４０の縁部に沿った厚さ（変化する場合もある）を乗算したものを加えたものである。第２の部分を使用しても、当接する縁部における厚さが同一であると仮定すれば、同じ接触面積が得られることは、当業者には理解されるであろう。同様に、図２６に示す実施形態のような縦方向に分割されたゴルフグリップ１０に対しても、同じ手順が使用される。この手順は、当接する縁部が直線状の断面、曲線状の断面、または、直線状の断面と曲線状の断面の組み合わせのいずれであるかにかかわらず、同じである。
【００３８】
ここで、一実施形態において、明瞭に形成された色間接触面５００は、当接するプリフォームの接触面積を、基準の接触面積よりも少なくとも５％大きくすることによって得られる。別の実施形態において、当接するプリフォームの接触面積は、基準の接触面積よりも少なくとも１５％大きい。さらに別の実施形態において、当接するプリフォームの接触面積は、基準の接触面積よりも少なくとも３０％大きい。別の一連の実施形態において、明瞭に形成された色間接触面５００は、当接するプリフォームの接触面積を、基準の接触面積よりも５％から６０％大きくすることによって得られる。別の実施形態において、当接するプリフォームの接触面積は、基準の接触面積よりも１０％から５０％大きい。さらに別の実施形態において、当接するプリフォームの接触面積は、基準の接触面積よりも１５％から４５％大きい。当接するプリフォームの対向する色接触面縁部（例えば、３３６と４３６、または、３４６と４４６）が増大すると、接触面の安定性が増大し、増大した粘度に関連する成形の間の流れが低減し、膨張性発泡剤の実施形態に関連する圧密圧力の分布が改善される。
【００３９】
さらに別の実施形態において、接触面の安定性を増大させ、増大した粘度に関連する成形の間の流れを低減し、膨張性発泡剤の実施形態に関連する圧密圧力の分布を改善するために、対向する色接触面縁部（例えば、３３６と４３６、または、３４５と４４６）に相補的な形状を導入することにより、色間接触面５００の完全性が向上する。したがって、一実施形態において、接触面をさらに安定化するために、第１の部分のプリフォーム３３０、３４０の接触面縁部３３６、３４６のうちの少なくとも１つは、第２の部分のプリフォームの接触面縁部４３６、４４６のうちの少なくとも１つの第２の部分の縁部形状と協働する、第１の部分の縁部形状を有している。このような協働する縁部形状の一例は、図１３に示すように、第１の部分の頂点形状３６０及び第２の部分の頂点形状４６０として示される１つの縁部の頂点形状と、第２の部分の受け入れ形状４７０及び第１の部分の受け入れ形状３７０として示される当接する縁部の協働する受け入れ形状である。
【００４０】
そのような一実施形態において、頂点形状３６０または４６０は、２つの集束側面を有しており、これらの集束側面は、１２０度以下の集束角度で、別の実施形態において９０度以下の集束角度で、さらに別の実施形態において６０度以下の集束角度で、互いに近づくものである。集束角度は、第１の部分の集束角度３６２または第２の部分の集束角度４６２として示されている。別の実施形態において、それぞれの側面は、少なくとも６．３５ｍｍ（０．２５０インチ）の長さの直線部分を有している。別の実施形態において、それぞれの直線部分は、少なくとも９．５２５ｍｍ（０．３７５インチ）の長さである。さらに別の実施形態において、ゴルフグリップ１０の長手軸に沿った頂点形状の長さは、頂点形状の最大の横幅の少なくとも７０％である。図１３に示す実施形態において、ゴルフグリップ１０の長手軸に沿った頂点形状の長さは、第１の部分の頂点形状の長さ３６２または第２の部分の頂点形状の長さ４６２であり、頂点形状の最大の横幅は、第１の部分の頂点形状の横幅３６４または第２の部分の頂点形状の横幅４６４である。
【００４１】
この特定の実施形態では、頂点形状の幅３６４、４６４は、プリフォームの全幅であるが、鋸歯状パターンのような複数の頂点形状を有する実施形態における対応する幅は、当業者には理解されるであろう。１つの特定の有効な頂点形状は、９０度以下の角度で集束する少なくとも６．３５ｍｍ（０．２５０インチ）の少なくとも２つの直線部分を備える１つの頂点、または、尖った第１の部分の頂点３６６または尖った第２の部分の頂点４６６、に集束するものである。別の実施形態は、接触面縁部に鋸歯状のパターンを呈する一連の頂点を含んでおり、一実施形態において、一連の頂点は、ゴルフグリップ１０の周縁全体にわたって延びるものである。
【００４２】
図６及び図７に示すように、別の実施形態において、協働する縁部形状は、縁部に曲線の凹部を含み、当接する縁部に協働する曲線の凸部を含んでおり、これらの実施形態においても、頂点形状は維持されている。さらに別の実施形態において、それぞれの当接接触面縁部は、凹部と凸部の両方を含む。図示は省略するが、図７を参照すれば容易に理解されるように、さらに別の実施形態において、頂点形状の一部は、頂点形状の先端に向かって、近くに位置する少なくとも１点よりも大きい幅を有している。これによって、パズルのピースのように、当接する部分と組み合うものである。
【００４３】
図２から図５に示すように、一実施形態において、頂点形状の先端は、ゴルフグリップ１０のパターの実施形態の平坦部分に配置される。この平坦部分は、パターグリップを握るときに、通常、一方または両方の親指が置かれるものである。頂点形状の先端の位置を定める別の方法は、図５に示すように、断面を参照することである。この断面には、仮想的なｘ軸とｙ軸が存在し、ｘ軸がゴルフグリップ１０の外面と交差する点は、ｘ軸外面点１５９である。一般に、ｘ軸外面点１５９は、半型同士が一致する箇所、または型割線に対応する。一実施形態において、頂点形状の先端は、ｘ軸から少なくとも６０度の範囲角度７１０から開始する６０度以下の頂点位置範囲７００内に位置する。別の実施形態において、頂点形状の先端は、ｘ軸から少なくとも７５度の範囲角度７１０から開始する３０度以下の頂点位置範囲７００内に位置する。さらに別の実施形態において、頂点形状の先端は、ｘ軸から少なくとも８０度の範囲角度７１０から開始する２０度以下の頂点位置範囲７００内に位置する。さらに別の実施形態において、頂点形状の先端は、ｘ軸から少なくとも８５度の範囲角度７１０から開始する１０度以下の頂点位置範囲７００内に位置する。
【００４４】
図２に示すような一実施形態において、少なくとも１つの頂点形状の先端は、ｘ軸から約９０度に位置する。別の実施形態には、２つの頂点形状が組み込まれており、それぞれの頂点形状の先端は、ゴルフグリップ１０の反対側の半分上に位置する。図２から図５、図１３、及び図１４に示すように、さらに別の実施形態において、それぞれの頂点形状の先端は、互いに約１８０度、かつｘ軸から約９０度に位置する。図１３に示すように、別の実施形態は、ゴルフグリップ１０の前方の半分に位置する第１の部分の頂点形状３６０と、ゴルフグリップ１０の後方の半分に位置する第２の部分の頂点形状４６０を含む。この際、２つの頂点形状は、約１８０度離れて、異なる色のプリフォームに位置しており、したがって、前方の１つの色中の集束する頂点形状と、後方の別の色中の第２の集束する頂点形状を備えるものである。
【００４５】
頂点形状の先端の開示される位置、並びに、組み込まれた角度付きのまたは集束する側面、及び／または、凹部／凸部によって、当接するプリフォーム対向する色接触面縁部（例えば、３３６と４３６、または、３４６と４４６）の接触面積が増大し、接触面の安定性が増大し、かつ増大した粘度に関連する成形の間の流れが低減するだけでなく、縁部で直接対向する圧密力が低減されることによって、圧密圧力が増大するときの成形の間の材料の膨張が案内及び制御され、接触面の完全性が促進される。さらに、これらの特徴によって、成形の間の、特に、成形工程の初期の間に型が数回開閉される脱ガス段階の間の、ゴムのマイグレーションが低減する。
【００４６】
図１９及び図２０に示すように、１つの部分が挿入されて、他の部分によって少なくとも部分的に囲まれるものであってもよい。このような実施形態は、本明細書の他の箇所で説明したものと同じ困難さを呈し、図２に示す横方向に分割されたゴルフグリップ１０、並びに、図２５及び図２６に示す縦方向に分割されたゴルフグリップ１０に関連して本明細書に開示される技術を使用して、所望の明瞭に形成された色間接触面５００を達成するものである。末端部側挿入部、または図２５及び図２６の上側に示す第２の部分４００は、少なくとも１つの、接触面縁部に沿って集束する頂点形状を含む。実際、この実施形態は、第２の部分４００の頂部に２つの尖った頂点形状を含み、第２の部分４００の底部に１つの頂点形状を含む。さらに、先端部側挿入部、または図２５及び図２６の下側に示す第２の部分４００は、接触面縁部に沿って複数の凹部を含む。
【００４７】
これらの、対向する色接触面縁部（例えば、３３６と４３６、または、３４６と４４６）において相補的な形状である実施形態の全ては、接触面の安定性を増大させ、増大した粘度に関連する成形の間の流れを低減し、部分同士の架橋を促進し、膨張性発泡剤の実施形態に関連する圧密圧力の分布を改善し、それによって、明瞭に形成された色間接触面５００の達成が改善される。これは、特に、例えば第１の部分の上部プリフォームの接触面縁部３３６及び第２の部分の上部プリフォームの接触面縁部４３６のような色間接触面に沿った、例えば第１の部分の上部プリフォーム３３０及び第２の部分の上部プリフォーム４３０のようなプリフォームの厚さの少なくとも一部が、３．１７５ｍｍ（０．１２５インチ）よりも大きい場合に生じる。
【００４８】
したがって、一実施形態において、例えば第１の部分の上部プリフォームの接触面縁部３３６及び第２の部分の上部プリフォームの接触面縁部４３６のような色間接触面に沿った、例えば第１の部分の上部プリフォーム３３０及び第２の部分の上部プリフォーム４３０のようなプリフォームの厚さの少なくとも一部は、３．１７５ｍｍ（０．１２５インチ）よりも大きい。別の実施形態において、色間接触面に沿った厚さの少なくとも一部は、少なくとも５．０８ｍｍ（０．２００インチ）であり、さらに別の実施形態において、少なくとも６．３５ｍｍ（０．２５０インチ）である。これは、接触面縁部における単一層のプリフォームを使用して達成されるものであってもよく、または、幾つかの実施形態において、接触面縁部において複数のプリフォーム層を含むものであってもよい。接触面縁部において複数のプリフォーム層を含む実施形態、または、図５及び図１８に示すような、接触面縁部における外面の断面半径１５４の大きな変化は、明瞭に形成された色間接触面５００を達成する上での困難性を増大させる。しかし、本明細書に開示された実施形態は、成形の間のプリフォームの動き及び膨張を制御し、所望の明瞭に形成された色間接触面５００を実現するものである。
【００４９】
従来の、対向するまたは色間の接触面縁部は、通常、削り取られた構成を備えており、言い換えれば、それらはある程度重なり合っている。このような接触面における重なり合いは、特に、本明細書に記載された柔軟かつ低密度の材料に関連するものである場合、成形の間に高い粘度を呈し、接触面の不安定性及び動き、並びに顔料のマイグレーションを促進させる。図１０から図１２、及び図１５に示すように、本発明に係るゴルフグリップ１０の一実施形態では、対向する色接触面縁部（例えば、３３６と４３６、または、３４６と４４６）が、当接されたときに９０度プラスマイナス５度の突き合わせ接合をなすように切断されたプリフォームが使用される。実際、一実施形態において、プリフォームは、対向する色接触面縁部（例えば、３３６と４３６、または、３４６と４４６）が、当接されたときに９０度以下の突き合わせ接合をなすように切断される。実際、一実施形態において、対向する色接触面縁部（例えば、３３６と４３６、または、３４６と４４６）は、８０度から９０度である。さらに別の実施形態において、これは、８５度から９０度であり、さらに別の実施形態において、８０度から８９度である。このような９０度以下の突き合わせ接合は、所望の明瞭な色間接触面５００を達成するために、膨張性発泡剤の実施形態に関連する増大した圧密圧力に適応させることによって接触面における安定性を増大させることに役立つ。
【００５０】
さらなる実施形態において、少なくとも１つのプリフォームの密度は、０．８５ｇ／ｃｍ3よりも小さく、かつゴルフグリップ１０の全体の密度は、０．９０ｇ／ｃｍ3よりも小さい。別の実施形態において、少なくとも１つのプリフォームの密度は、０．８０ｇ／ｃｍ3よりも小さく、かつゴルフグリップ１０の全体の密度は、０．８５ｇ／ｃｍ3よりも小さい。さらに別の実施形態において、全てのプリフォームの密度は、０．６０ｇ／ｃｍ3から０．９０ｇ／ｃｍ3であり、かつゴルフグリップ１０の全体の密度は、０．７５ｇ／ｃｍ3から０．９０ｇ／ｃｍ3である。さらに別の実施形態において、任意の部分は、当業者には理解されるように、コードグリップ構造を形成する材料をさらに含むものであってもよい。
【００５１】
ここで、本明細書に記載された、第１の部分３００及び第２の部分４００に関連する実施形態は、２つの部分に限定されるものではない。例えば、図２に示す横方向に分割されたゴルフグリップ１０を、ゴルフグリップ１０のいずれかの端部に第３の部分、さらには第４の部分を有するものと想像することは、容易である。これは、図２５に示す縦方向に分割されたゴルフグリップ１０でも同様であり、任意の数の部分を接合してゴルフグリップ１０を形成し、周縁の１／３毎に、四分円毎に、八分円毎に、またはこれらの中間の任意の分円毎に異なる色の部分による所望の意匠を達成するものであってもよい。
【００５２】
上述した実施形態は、第１の部分３００と第２の部分４００の異なる色の交差箇所に沿って、所望の明瞭に形成された色間接触面５００を達成するだけでなく、色間接触面５００の強い耐破損性を保証するために必要な接触面の安定性を備えるものである。例えば、引張試験を実行するために、本明細書に開示された材料、構成及び方法を使用して製造及び硬化された試験用スラブから、同一のサイズの図２１に示す第１の部分の試験サンプル３５０、図２２に示す第２の部分の試験サンプル４５０、並びに、図２３に示す、接触面の試験サンプルの第１の部分５５２及び接触面の試験サンプルの第２の部分５５４を有する接触面の試験サンプル５５０が切り出された。実際には、それぞれについて３つの試験サンプルが作成された。各試験サンプルは、ＴｅｃｈＰｒｏ社製ＴｅｓｎｓｉＴｅｃｈ＋引張試験機に設置され、試験サンプルが破損するまで引張負荷が印加された。この引張試験の結果は、表１にまとめられている。
【００５３】
【表１】
2017104555.tif 000003
【００５４】
３つの接触面試験サンプル５５０のそれぞれは、図２４に示すように、明瞭に形成された色間接触面５００から離れた箇所で破損した。これは、接触面が、少なくとも第１の部分３００及び第２の部分４００のうちの少なくとも１つよりも高い引張強度を有することを示している。一実施形態において、明瞭に形成された色間接触面５００は、少なくとも２．６０８ＭＰａ（３００ｐｓｉ）の引張強度を有する。
【００５５】
上述したように、図２及び図３に示すような接触面遷移領域５１０は、接触面縁部の両側の３．８１ｍｍ（０．１５０インチ）の範囲内と定義された。これは、遷移領域の幅５２０は、７．６２ｍｍ（０．３００インチ）であることを意味する。また、上述したように、明瞭に形成された色間接触面５００は、ゴルフグリップ１０の完成された圧縮成形体において、１つのプリフォームからの顔料を、接触面縁部の位置の反対側の接触面遷移領域５１０の外側では、光学的に検出し得ない接触面であるとして定義された。但し、別の実施形態において、開示された材料及び構成は、図２及び図３に示すように、接触面縁部の両側の２．５４ｍｍ（０．１００インチ）内の領域である接触面遷移領域５１０を備えた、明瞭に形成された色間接触面５００を達成する。これは、この実施形態において、接触面遷移領域の幅５２０は、５．０８ｍｍ（０．２００インチ）であることを意味する。さらに別の実施形態において、図２及び図３に示すように、接触面遷移領域５１０は、接触面縁部の両側の１．２７ｍｍ（０．０５０インチ）内の領域であり、これは、この実施形態において、接触面遷移領域の幅５２０は、２．５４ｍｍ（０．１００インチ）であることを意味する。
【００５６】
本発明に係るゴルフグリップ１０のさらなる利点は、感触が向上することである。従来の圧縮成形されたエラストマー化合物からなるグリップの感触は、硬いまたはしっかりしたものであり、これは、パターグリップには望ましくない。さらに、ゴルフグリップの硬さまたは柔らかさは、材料特性試験のみに基づくよりも、グリップがクラブに取り付けられたときにプレイヤーが実際に感じる感触を模倣した圧縮試験を使用することにより、最適に示される。このように、一実施形態の目的は、好ましい感触を備える柔軟な圧縮成形体のゴルフグリップ１０を製造することである。指または手によって押圧されたときに圧縮される、柔軟かつ低密度の圧縮成形されたエラストマー化合物のゴルフグリップ１０は、ゴルファーにとって心地よくかつ練習の補助となり得るものである。
【００５７】
結局、最良のパッティングのストロークは、ゴルファーがリラックス状態にあるときに行われるものである。この状態は、パターグリップを押圧するグリップ圧力が軽いときに生じる。柔軟で圧縮可能なパターグリップを有することによって、ゴルファーは、グリップ圧力を緩めることを思い出すだろう。ゴルフグリップ１０が圧縮可能である場合、ゴルファーは、自分がかけているグリップ圧力が高すぎることに思い至る。しかし、柔軟かつ低密度の圧縮成形されたエラストマー化合物のゴルフグリップ１０は、弾性的でもある必要がある。言い換えれば、グリップ圧力が低減した場合、圧縮された材料は、その元の形状及び体積に復帰しなければならない。そうでなければ、ゴルフの規則に適合していないと見なされる。したがって、ゴルフグリップは、永久変形可能なものではあってはならない。さもなければ、ゴルファーは、手を配置して並べるための顧客仕様の形状を有するグリップを作成することができるが、これは、禁止されている。本発明に係るエラストマー化合物は、熱硬化性樹脂に基づくものである。硫化工程によって、強くかつ弾性的なポリマー鎖の架橋が生成される。したがって、熱硬化性エラストマー化合物は、低いデュロメータ硬さの処方で成形し、かつ熱可塑性材料よりも良好な弾性を維持することができる。
【００５８】
次に、圧縮成形されたゴルフグリップ１０の柔軟性を、圧縮の様々な深さまたは状態で定めるための圧縮試験の手順を説明する。図２７、図３１、図３２、図３３、及び図３４に示すように、試験装置６００は、マンドレル６１０、プローブ６３０を備えた力ゲージ６２０、深さゲージ６４０、及び、試験スタンド６５０を含む。第１ステップにおいて、図２８に示すように、ゴルフグリップ１０を３つの等しい長さの部分に切断する。第２ステップにおいて、ゴルフグリップ１０の中間部分１２を、１４．７３２ｍｍ（０．５８０インチ）の一定の直径を有する固体鋼製のマンドレル６１０に、グリップテープ及び溶剤を用いることなく取り付ける。この際、図２９及び図３０に示すように、ゴルフグリップ１０の中間部分１２のマンドレル６１０の中間部への配置を補助するために、圧縮空気が使用されるものであってもよい。第３ステップにおいて、中間部分１２を、材料が緩和され、補足された空気が抜けられるように、１時間放置することができる。第４ステップにおいて、ゴルフグリップ１０の中間部分１２の中間部が力ゲージ６２０のプローブ６３０の直下となるように、マンドレル６１０を試験スタンド６５０に配置する。試験スタンドは、この例では、Ｖ字ブロックからなる。力ゲージ６２０は、Ｅｘｔｅｃｈ社製の型式４７５０４４と同等のディジタル力ゲージである。プローブ６３０は、金属製であり、１０．１６ｍｍ（０．４０インチ）の直径を有する球状の先端を備えている。
【００５９】
第５ステップにおいて、図３２に示すように、プローブ６３０がゴルフグリップ１０に接触し、力ゲージ６２０に最初に測定値が表示されるまで、装置６００のレバー６６０をゆっくりと作動させる。第６ステップにおいて、図３３に示すように、中間部１２にプローブ６３０が接触し、力ゲージ６２０の測定値が０．２５Ｎ以下の状態で、深さゲージ６４０をゼロに設定する。深さゲージ６４０は、Ｆｏｗｌｅｒ社製のＵｌｔｒａ−Ｌｌｏｇｉｃと同等のディジタル深さゲージである。第７ステップにおいて、図３４に示すように、深さゲージ６４０が０．２５４ｍｍ（０．０１インチ）の深さを検知するまで、ゴルフグリップ１０に対してプローブ６３０をゆっくりと押圧し、力ゲージ６２０によって検知された力を読み取る。第８ステップにおいて、第７ステップを繰り返し、プローブが０．５０８ｍｍ（０．０２インチ）、０．７６２ｍｍ（０．０３インチ）、１．０１６ｍｍ（０．０４インチ）、１．２７ｍｍ（０．０５インチ）、及び１．５２４ｍｍ（０．０６インチ）の深さを達成するために必要な力を記録する。最後のステップにおいて、測定された力を、図３５に示すような表またはグラフに記録する。この手順に添付された図面には、簡単のため、対称的な丸いスインググリップが図示されているが、非対称的なパターグリップについても同じ手順が使用される。非対称的なパターグリップは、グリップの親指用平坦面がプロープ６３０の下で水平になり、プローブ６３０が親指用平坦面に９０度の角度で接触するように、試験スタンドに配置される。
【００６０】
図３６は、上記の試験手順を使用して収集されたデータを示すグラフであり、ポリウレタンの外層で覆われた発泡体からなる、競合他社の軽量オーバーサイズパターグリップは、丸いドット付きの線で示され、本発明の実施形態は、四角いドット付きの線で示されている。両方のグリップは、およそ同じサイズ及び体積である。０．５０８ｍｍ（０．０２インチ）、０．７６２ｍｍ（０．０３インチ）、１．０１６ｍｍ（０．０４インチ）、１．２７ｍｍ（０．０５インチ）、及び１．５２４ｍｍ（０．０６インチ）の撓みを達成するために必要な圧縮力を比較すると、同じ撓みを得るために、競合他社のグリップは、本発明よりも５０％から１００％大きい圧縮力を要することが容易に分かる。あるいは、図３６の意味を理解するための別の方法は、２つのグリップの同一の圧縮力における撓みを見ることである。例えば、５Ｎの圧縮力において、本発明の実施形態は、競合他社のグリップよりも５０％大きく撓んでいる。１０Ｎにおいても同様である。
【００６１】
グリップ圧力に関して、ゴルファーにとって最良のフィードバックは、比較的一貫しかつ比較的平坦なグラフ線を備える握りを提供し、これによって、ゴルファーの握りが、付加的な撓みを何ら感知することなく、ゴルフグリップを強く押圧するポイントに達することがないことである。同様に、必要な弾性を備えつつ、圧縮深さの範囲にわたる圧縮深さに対する圧縮力の比の一貫性により、ゴルファーに対して彼らのグリップ圧力が高すぎることを示すフィードバックが改善される。
【００６２】
したがって、一実施形態において、圧縮距離（ｃｍ（インチ））に対する圧縮力（Ｎ）の比である圧縮率は、０．２５４ｍｍ（０．０１インチ）から１．２７ｍｍ（０．０５インチ）の範囲の圧縮深さにわたって、１１８．１１Ｎ／ｃｍ（３００Ｎ／インチ）を超えない。別の実施形態において、圧縮率は、０．２５４ｍｍ（０．０１インチ）から１．２７ｍｍ（０．０５インチ）の範囲の圧縮深さにわたって、８８．５８Ｎ／ｃｍ（２２５Ｎ／インチ）を超えない。さらに別の実施形態において、圧縮率は、０．２５４ｍｍ（０．０１インチ）から１．０１６ｍｍ（０．０４インチ）の範囲の圧縮深さにわたって、８０．７１Ｎ／ｃｍ（２０５Ｎ／インチ）を超えない。さらに別の実施形態において、Ｙ軸の圧縮力とＸ軸の圧縮深さを示す線の勾配は、０．２５４ｍｍ（０．０１インチ）から１．２７ｍｍ（０．０５インチ）の圧縮深さの範囲にわたって１５７．４８（４００）を超えない。別の実施形態において、この勾配は、０．２５４ｍｍ（０．０１インチ）から１．２７ｍｍ（０．０５インチ）の圧縮深さの範囲にわたって１２７．９５（３２５）を超えない。さらに別の実施形態において、圧縮力は、０．２５４ｍｍ（０．０１インチ）から１．０１６ｍｍ（０．０４インチ）の範囲の圧縮深さにわたって、１０Ｎを超えない。さらに別の実施形態において、圧縮力は、０．２５４ｍｍ（０．０１インチ）から１．０１６ｍｍ（０．０４インチ）の範囲の圧縮深さにわたって、８Ｎを超えない。さらに別の実施形態において、圧縮力は、０．２５４ｍｍ（０．０１インチ）から１．０１６ｍｍ（０．０４インチ）の範囲の圧縮深さにわたって、７．５Ｎを超えない。
【００６３】
さらに別の実施形態において、圧縮率は、０．２５４ｍｍ（０．０１インチ）から１．２７ｍｍ（０．０５インチ）の圧縮深さの範囲にわたって、３９．３７Ｎ／ｃｍ（１００Ｎ／インチ）から１１８．１１Ｎ／ｃｍ（３００Ｎ／インチ）である。別の実施形態において、圧縮率は、０．２５４ｍｍ（０．０１インチ）から１．２７ｍｍ（０．０５インチ）の圧縮深さの範囲にわたって、４９．２１Ｎ／ｃｍ（１２５Ｎ／インチ）から９８．４３Ｎ／ｃｍ（２５０Ｎ／インチ）である。別の実施形態において、圧縮率は、０．２５４ｍｍ（０．０１インチ）から１．２７ｍｍ（０．０５インチ）の圧縮深さの範囲にわたって、５０．０６Ｎ／ｃｍ（１５０Ｎ／インチ）から８８．５８Ｎ／ｃｍ（２２５Ｎ／インチ）である。さらに別の実施軽チアにおいて、圧縮率は、０．２５４ｍｍ（０．０１インチ）から１．０１６ｍｍ（０．０４インチ）の圧縮深さの範囲にわたって、４９．２１Ｎ／ｃｍ（１２５Ｎ／インチ）から８０．７１Ｎ／ｃｍ（２０５Ｎ／インチ）である。さらに別の実施形態において、Ｙ軸の圧縮力とＸ軸の圧縮深さを示す線の勾配は、図３６に示すように、０．２５４ｍｍ（０．０１インチ）から１．２７ｍｍ（０．０５インチ）の圧縮深さの範囲にわたって、３９．３７（１００）から１５７．４８（４００）である。別の実施形態において、Ｙ軸の圧縮力とＸ軸の圧縮深さを示す線の勾配は、０．２５４ｍｍ（０．０１インチ）から１．２７ｍｍ（０．０５インチ）の圧縮深さの範囲にわたって、４９．２１（１２５）から１３７．８０（３５０）である。さらに別の実施形態において、Ｙ軸の圧縮力とＸ軸の圧縮深さを示す線の勾配は、０．２５４ｍｍ（０．０１インチ）から１．２７ｍｍ（０．０５インチ）の圧縮深さの範囲にわたって、５９．０６（１５０）から１２７．９５（３２５）である。さらに別の実施形態において、圧縮力は、０．２５４ｍｍ（０．０１インチ）から１．０１６ｍｍ（０．０４インチ）の範囲の圧縮深さにわたって、１Ｎから１０Ｎである。別の実施形態において、圧縮力は、０．２５４ｍｍ（０．０１インチ）から１．０１６ｍｍ（０．０４インチ）の範囲の圧縮深さにわたって、１Ｎから８Ｎである。別の実施形態において、圧縮力は、０．２５４ｍｍ（０．０１インチ）から１．０１６ｍｍ（０．０４インチ）の範囲の圧縮深さにわたって、１．５Ｎから７．５Ｎである。
【００６４】
ゴルフスイングにおける別の重要な因子は、適切な感覚を持つ能力である。図５に示すように、ゴルフグリップ１０の長さに沿った各点は、各点に固有の断面積１５２及び断面半径１５４によって特徴づけられる断面を有している。特にパターグリップに適した一実施形態において、ゴルフグリップ１０の長さに沿った少なくとも１つの点は、少なくとも３．７５ｃｍ2の断面積１５２を有する。別の実施形態において、ゴルフグリップ１０の長さの少なくとも５０％は、少なくとも３．７５ｃｍ2の断面積１５２を有する断面を有する。さらに別の実施形態において、ゴルフグリップ１０の長さの８５％は、少なくとも３．７５ｃｍ2の断面積１５２を有する。
【００６５】
断面半径１５４は、ゴルフグリップ１０の中央開口部の中心から外面１００への半径である。特にパターグリップに適した一実施形態において、ゴルフグリップ１０の長さに沿った少なくとも１つの点は、少なくとも１１．６８４ｍｍ（０．４６インチ）の断面半径１５４を有し、別の実施形態では、ゴルフグリップ１０の長さの少なくとも８５％にわたってこれが成り立つ。別の実施形態において、ゴルフグリップ１０の長さに沿った少なくとも１つの点は、少なくとも１３．３３５ｍｍ（０．５２５インチ）の断面半径１５４を有する。別の実施形態において、ゴルフグリップ１０は、ゴルフグリップ１０の長さの少なくとも５０％にわたって、少なくとも１３．３３５ｍｍ（０．５２５インチ）の断面半径１５４を有する。別の実施形態において、ゴルフグリップ１０の長さの少なくとも８５％にわたるそれぞれの断面は、少なくとも１３．３３５ｍｍ（０．５２５インチ）の断面半径１５４を有する。別の比較的非テーパ形の実施形態において、ゴルフグリップの長さの少なくとも５０％は、１１．６８４ｍｍ（０．４６インチ）から２０．３２ｍｍ（０．８０インチ）の断面半径１５４を有する断面を有する。別の実施形態において、ゴルフグリップの長さの少なくとも８５％は、１１．６８４ｍｍ（０．４６インチ）から２０．３２ｍｍ（０．８０インチ）の断面半径１５４を有する断面を有する。
【００６６】
さらなるオーバーサイズパターグリップの実施形態において、ゴルフグリップ１０の長さに沿った少なくとも１つの点は、少なくとも５．２５ｃｍ2の断面積１５２を有する断面を有する。別の実施形態においてゴルフグリップ１０の長さの少なくとも５０％は、少なくとも５．２５ｃｍ2の断面積１５２を有する断面を有する。さらに別の実施形態では、ゴルフグリップ１０の長さの８５％が、少なくとも５．２５ｃｍ2の断面積１５２を有する断面を有する。特にオーバーサイズパターグリップに適した一実施形態において、ゴルフグリップ１０の長さに沿った少なくとも１つの点は、少なくとも１３．９７ｍｍ（０．５５インチ）の断面半径を有する。別の実施形態において、ゴルフグリップ１０の長さの少なくとも５０％は、少なくとも１３．９７ｍｍ（０．５５インチ）の断面半径１５４を有する断面を有する。さらに別の実施形態において、ゴルフグリップ１０の長さの少なくとも８５％は、少なくとも１３．９７ｍｍ（０．５５インチ）の断面半径１５４を有する断面を有する。別の比較的非テーパ形の実施形態において、ゴルフグリップの長さの少なくとも５０％は、１３．９７ｍｍ（０．５５インチ）から２２．８６ｍｍ（０．９０インチ）の最大断面半径を有する断面を有する。別の実施形態において、ゴルフグリップの長さの少なくとも８５％は、１３．９７ｍｍ（０．５５インチ）から２２．８６ｍｍ（０．９０インチ）の最大断面半径を有する断面を有する。さらに、別の実施形態において、外面１１０上の少なくとも１つの点は、少なくとも１６．５１ｍｍ（０．６５インチ）の断面半径を有する。別の実施形態において、外面１１０上の少なくとも１つの点は、少なくとも１９．０５ｍｍ（０．７５インチ）の断面半径を有する。
【００６７】
さらに、別のパターグリップの実施形態は、少なくとも１００ｃｍ3の体積及び５０ｇから１４５ｇの重量を有する。別の実施形態は、１００ｃｍ3から１３０ｃｍ3の体積及び５５ｇから１２０ｇの重量を有する。別の実施形態は、１３５ｃｍ3の体積及び９０ｇから１６０ｇの重量を有する。さらに別の実施形態は、１３５ｃｍ3から１６０ｃｍ3の体積及び１２０ｇから１４５ｇの重量を有する。一実施形態において、ゴルフグリップ１０の全体の密度は、０．４５ｇ／ｃｍ3から０．８９ｇ／ｃｍ3である。別の実施形態においてゴルフグリップ１０の全体の密度は、０．６０ｇ／ｃｍ3から０．８９ｇ／ｃｍ3である。さらに別の実施形態においてゴルフグリップ１０の全体の密度は、０．７０ｇ／ｃｍ3から０．８９ｇ／ｃｍ3である。
【００６８】
上述したように、ゴルフグリップ１０は、１つまたは両方の部分３００、４００が、少なくとも第１の層及び第２の層を含む複数の層から形成されるものであってもよい。個々の層は、互いに接着されるものであってもよく、または、圧縮成形において接合されるものであってもよい。そのような一実施形態において、第１の層は、第１の層の厚さを有し、第２の層は、第２の層の厚さを有する。それらの療法は、実際の製造工程の前に測定される厚さであり、したがって未硬化の厚さである。別の実施形態において、第１の層の厚さは、第２の層の厚さよりも少なくとも２５％大きい。一実施形態において、第１の層の厚さは、１．５０ｍｍから３．００ｍｍであり、第２の層の厚さは、１．２５ｍｍから２．５０ｍｍである。別の実施形態において、第１の層の厚さは、２．００ｍｍから２．８０ｍｍであり、第２の層の厚さは、１．７０ｍｍから２．２５ｍｍである。さらに別の実施形態において、第１の層の厚さは、２．３０ｍｍから２．７０ｍｍであり、第２の層の厚さは、１．８０ｍｍから２．００ｍｍである。
【００６９】
さらに、第１の層及び第２の層は、異なる量の発泡剤を含有するものであってもよい。これによって、圧縮成形の硬化工程の間に異なる膨張が生じる。例えば、一例において、第１の層は、第２の層中の発泡剤の量の少なくとも２倍の量の発泡剤を有している。別の実施形態において、第１の層は、第２の層中の発泡剤の量の少なくとも２．５倍の量の発泡剤を有している。さらに別の実施形態において、第１の層は、第２の層中の発泡剤の量の少なくとも３倍の量の発泡剤を有している。
【００７０】
上述した２つの層の実施形態に加えて、別の実施形態は、第１の層と第２の層との間に配置され、第３の層の厚さを有する第３の層を含むものであってもよい。第３の層を含めることによって、製造工程の精度が増大する。２つの層の実施形態と同様に、個々の層は、互いに接着されるものであってもよく、または、圧縮成形工程において接合されるものであってもよい。再度述べれば、本明細に記載された個々の層の厚さは、実際の製造工程の前に測定される厚さであり、したがって未硬化の厚さである。一実施形態において、第１の層の厚さ及び第３の層の厚さの両方は、第２の層の厚さよりも小さい。実際、別の実施形態において、第１の層の厚さ及び第３の層の厚さは、第２の層の厚さよりも少なくとも２０％小さい。さらに別の実施形態において、第１の層の厚さ及び第３の層の厚さの両方は、第２の層の厚さよりも少なくとも５０％から７５％小さい。
【００７１】
さらに別の実施形態において、第１の層の厚さ及び第３の層の厚さは、１．００ｍｍから１．５０ｍｍであり、第２の層の厚さは、１．２５ｍｍから２．５０ｍｍである。別の実施形態において、第１の層の厚さ及び第３の層の厚さは、１．２５ｍｍから１．４０ｍｍであり、第２の層の厚さは、１．７０ｍｍから２．２５ｍｍである。さらに別の実施形態において、第１の層の厚さ及び第３の層の厚さは、１．３０ｍｍから１．３５ｍｍであり、第２の層の厚さは、１．８０ｍｍから２．００ｍｍである。一実施形態において、第３の層は、第２の層中の発泡剤の量の少なくとも２倍の量の発泡剤を有している。別の実施形態において、第３の層は、第２の層中の発泡剤の量の少なくとも２．５倍の量の発泡剤を有している。さらに別の実施形態において、第３の層は、第２の層中の発泡剤の量の少なくとも３倍の量の発泡剤を有している。
【００７２】
別の実施形態において、第１の層の厚さ及び第２の層の厚さの両方は、第３の層の厚さよりも小さい。実際、別の実施形態において、第１の層の厚さ及び第２の層の厚さは、第３の層の厚さよりも少なくとも２０％小さい。さらに別の実施形態において、第１の層の厚さ及び第２の層の厚さの両方は、第３の層の最大の厚さの半分よりも小さい。さらに別の実施形態において、第１の層の厚さ及び第２の層の厚さは、１．５０ｍｍよりも小さく、第３の層の厚さは、少なくとも２．００ｍｍである。別の実施形態において、第１の層の厚さは、第３の層の最大の厚さの２０％よりも小さく、かつ、第１の層の厚さは、第２の層の最大の厚さの５０%よりも小さい。さらに別の実施形態において、第１の層の厚さは、０．５０ｍｍよりも小さく、第２の層の厚さは、０．７５ｍｍよりも小さく、第３の層の厚さは１．５ｍｍから８．０ｍｍである。
【００７３】
さらに、これらの３つの層の実施形態において、第１の層、第２の層、及び第３の層は、異なる量の発泡剤を含有するものであってもよい。これによって、圧縮成形の硬化工程の間に異なる膨張が生じる。例えば、一例において、第１の層及び第３の層のそれぞれは、第２の層中の発泡剤の量の少なくとも２倍の量の発泡剤を有している。別の実施形態において、第１の層及び第３の層のそれぞれは、第２の層中の発泡剤の量の少なくとも２．５倍の量の発泡剤を有している。さらに別の実施形態において、第１の層及び第３の層のそれぞれは、第２の層中の発泡剤の量の少なくとも３倍の量の発泡剤を有している。さらに別の実施形態において、第１の層及び第３の層のそれぞれは、第２の層中の発泡剤の量の３倍から６倍の量の発泡剤を有している。さらに別の実施形態において、第１の層及び第３の層のそれぞれは、第２の層中の発泡剤の量の４倍から５．５倍の量の発泡剤を有している。上述した発泡剤は、第１の層の材料組成及び特性と同様に、この第３の層にも適用可能である。
【００７４】
発泡剤の量及び圧縮成形工程のパラメータは、ゴルフグリップ１０の各領域の密度、気孔率、及び硬度に影響を及ぼす。ゴルフグリップ１０は、上述した複数の層を使用して圧縮成形されるものであってもよい。層の帯状片は、圧縮成形型Ｍの両方の半型内のコアロッドＲの周りに、所望の完成品のグリップに対応する配置構成で、配置される。コアロッドＲ（または、マンドレル）は、中空管状のゴルフグリップ１０を形成しやすくするため、半型内に配置される。圧縮成形用の半型は、一体に締め付けられ、そして、硫化が生じて各層が一体に接合されて管状の完成品のゴルフグリップ１０となる温度にまで加熱される。幾つかの実施形態において、コアロッドＣＲは、少なくとも１２０℃の温度まで加熱されるか、または温められる。これによって、内面１２０からの硬化も促進される。
【００７５】
本明細書に開示されたゴルフグリップ１０の実施形態は、図１０から図１２に示すように、末端キャップ６００及び／または先端キャップ７００を含むものであってもよい。末端キャップ６００または先端キャップ７００は、隣接する第１の部分３００または第２の部分４００とは異なる色を有するものであってもよい。末端キャップ６００または先端キャップ７００は、ゴルフグリップ１０と一体に圧縮成形されるものであってもよく、または、分離可能に取り付けられるものであってもよい。一実施形態において、末端キャップ６００及び先端キャップ７００も、熱硬化性エラストマー化合物から形成され、ゴルフグリップ１０とともに圧縮成形される。別の実施形態において、末端キャップ６００及び先端キャップ７００のうちの少なくとも１つは、第１の部分３００及び第２の部分４００の両方に含有されている量よりも少ない量の発泡剤を有している。
【００７６】
本明細書に開示された好ましい実施形態の多くの変更、修正、及び変形は、当業者には明らかであり、その全ては本発明の思想及び範囲内であるものと想定される。例えば、特定の実施形態が詳細に説明されたが、当業者は、先行する実施形態及び変形例を、様々な種類の代替品、及び／または、追加の及び代わりの材料、要素の相対的配置、並びに、寸法構成を組み込むことによって修正することができる。したがって、本明細書では、本発明の幾つかの変形例が記載されているのみであるものの、そのような追加の修正例及び変形例、並びにそれらの均等物は、添付請求項に定義される本発明の思想及び範囲内のものである。さらに、全体にわたる外面１１０の使用は、外面１１０の構造を覆う１ｍｍ以下の厚さの化粧用または装飾用のコーティングを除外するものではない。添付請求項における対応する構造、材料、動作、及び機能要素を加えた全ての手段またはステップの同等の要素は、他の請求された要素と組み合わせて特に請求されているように、任意の構造、材料、または機能を実行するための動作を含むことが意図されている。
【図１】
2017104555.tif 000004
【図２】
2017104555.tif 000005
【図３】
2017104555.tif 000006
【図４】
2017104555.tif 000007
【図５】
2017104555.tif 000008
【図６】
2017104555.tif 000009
【図７】
2017104555.tif 000010
【図８】
2017104555.tif 000011
【図９】
2017104555.tif 000012
【図１０】
2017104555.tif 000013
【図１１】
2017104555.tif 000014
【図１２】
2017104555.tif 000015
【図１３】
2017104555.tif 000016
【図１４】
2017104555.tif 000017
【図１５】
2017104555.tif 000018
【図１６】
2017104555.tif 000019
【図１７】
2017104555.tif 000020
【図１８】
2017104555.tif 000021
【図１９】
2017104555.tif 000022
【図２０】
2017104555.tif 000023
【図２１】
2017104555.tif 000024
【図２２】
2017104555.tif 000025
【図２３】
2017104555.tif 000026
【図２４】
2017104555.tif 000027
【図２５】
2017104555.tif 000028
【図２６】
2017104555.tif 000029
【図２７】
2017104555.tif 000030
【図２８】
2017104555.tif 000031
【図２９】
2017104555.tif 000032
【図３０】
2017104555.tif 000033
【図３１】
2017104555.tif 000034
【図３２】
2017104555.tif 000035
【図３３】
2017104555.tif 000036
【図３４】
2017104555.tif 000037
【図３５】
2017104555.tif 000038
【図３６】
2017104555.tif 000039